(57)【要約】【課題】油拡散部材によりギヤケース内に拡散させた潤滑油を有効に利用して被潤滑部を効果的に潤滑し得る，遊星式伝動装置における潤滑構造を提供する。【解決手段】ギヤケース１に第１ベアリングＢ２を介して支持される伝動軸５には油拡散部材１５が結合される。この油拡散部材１５により拡散された潤滑油を受容する第１油溜め室２５が，第１ベアリングＢ２の，偏心軸７と反対側の側面に隣接するようギヤケース１に設けられる。遊星ギヤ１０を第２ベアリングＢ５，Ｂ６を介して支持する偏心軸７には，空洞部３０と，第１油溜め室２５から第１ベアリングＢ２を通過した潤滑油を前記空洞部３０に誘導する第１油孔３１と，空洞部３０に導入した潤滑油を第２ベアリングＢ５，Ｂ６に供給する第２油孔３６とが設けられる。【選択図】図１
2018128086.tif 000002
【特許請求の範囲】
【請求項１】
ギヤケースと，該ギヤケースに第１ベアリングを介して回転自在に支持される伝動軸と，該伝動軸に一体的に結合される偏心軸と，該偏心軸に第２ベアリングを介して支持される遊星ギヤと，前記ギヤケースに前記伝動軸と同軸状に固定されるリングギヤとを備え，前記偏心軸の一側壁が前記第１ベアリングに対面している遊星式伝動装置における潤滑構造であって，
前記ギヤケースの底部に貯留される潤滑油と，
前記潤滑油を前記ギヤケース内に拡散させる油拡散部材と，
前記第１ベアリングの，前記偏心軸と反対側の側面に隣接するよう前記ギヤケースに設けられ，拡散した前記潤滑油を受容する油溜め室と，
前記偏心軸に設けられる空洞部と，
前記偏心軸の前記一側壁に設けられ，前記油溜め室から前記第１ベアリングを通過した潤滑油を前記空洞部に誘導する第１油孔と，
前記偏心軸の周壁において前記伝動軸の軸線から最遠の位置もしくはその近傍位置に設けられ，前記空洞部に導入した潤滑油を前記第２ベアリングに誘導する第２油孔とを備えることを特徴とする，遊星式伝動装置における潤滑構造。
【請求項２】
請求項１記載の遊星式伝動装置における潤滑構造であって，
前記空洞部の内周面に環状溝が設けられ，該環状溝に前記第２油孔が開口することを特徴とする，遊星式伝動装置における潤滑構造。
【請求項３】
請求項１又は２記載の遊星式伝動装置における潤滑構造であって，
前記遊星ギヤは，間隔を置いて並ぶ一対の第２ベアリングを介して前記偏心軸に支持され，前記一対の第２ベアリング間に前記第２油孔が開口することを特徴とする，遊星式伝動装置における潤滑構造。
【発明の詳細な説明】
【技術分野】
【０００１】
本発明は，減速機や増速機に用いられる遊星式伝動装置における潤滑構造に関する。
【背景技術】
【０００２】
従来，遊星式伝動装置として，下記特許文献１に開示されるように，ギヤケースと，該ギヤケースの両側壁にそれぞれ回転自在に支持される第１伝動軸及び第２伝動軸と，前記第１伝動軸に結合され，該第１伝動軸の回転に伴ない前記第１伝動軸の軸線周りに偏心回転する偏心軸と，該偏心軸に回転自在に支持される遊星ギヤと，前記ギヤケースに前記第１伝動軸と同軸状に固定されて前記遊星ギヤと噛合するリングギヤと，前記遊星ギヤの遊星運動を回転運動に変換して前記第２伝動軸に伝達する運動変換機構とを備えるものが知られている。そして，このような遊星式伝動装置においては，前記第２伝動軸に取り付けられる油拡散部材の回転により，ギヤケース内に貯留する潤滑油を周囲に拡散させ，その拡散させた潤滑油を，第２伝動軸に設けた導油路で受けて被潤滑部に供給するようにした潤滑構造が採用されている。
【先行技術文献】
【特許文献】
【０００３】
【特許文献１】特許第４９７５２７４号公報
【発明の概要】
【発明が解決しようとする課題】
【０００４】
しかしながら，上記のような潤滑構造では，ギヤケース内の拡散潤滑油を第２伝動軸の導油路で捉えたとしても，その導油路は，第２伝動軸の回転中心方向に向かうように形成されているため，導油路で捉えられた潤滑油は，第２伝動軸の回転に伴なう遠心力に抗して流れなければならない。したがって潤滑油は被潤滑部まで到達しにくく，所望の潤滑を達成することが困難である。
【０００５】
本発明は，かゝる事情に鑑みてなされたもので，油拡散部材によりギヤケース内に拡散させた潤滑油を有効に利用して被潤滑部を効果的に潤滑し得るようにした，遊星式伝動装置における潤滑構造を提供することを目的とする。
【課題を解決するための手段】
【０００６】
上記目的を達成するために，本発明では，ギヤケースと，該ギヤケースに第１ベアリングを介して回転自在に支持される伝動軸と，該伝動軸に一体的に結合される偏心軸と，該偏心軸に第２ベアリングを介して支持される遊星ギヤと，前記ギヤケースに前記伝動軸と同軸状に固定されるリングギヤとを備え，前記偏心軸の一側壁が前記第１ベアリングに対面している遊星式伝動装置における潤滑構造であって，前記ギヤケースの底部に貯留される潤滑油と，前記潤滑油を前記ギヤケース内に拡散させる油拡散部材と，前記第１ベアリングの，前記偏心軸と反対側の側面に隣接するよう前記ギヤケースに設けられ，拡散した前記潤滑油を受容する油溜め室と，前記偏心軸に設けられる空洞部と，前記偏心軸の前記一側壁に設けられ，前記油溜め室から前記第１ベアリングを通過した潤滑油を前記空洞部に誘導する第１油孔と，前記偏心軸の周壁において前記伝動軸の軸線から最遠の位置もしくはその近傍位置に設けられ，前記空洞部に導入した潤滑油を前記第２ベアリングに誘導する第２油孔とを備えることを第１の特徴とする。
【０００７】
尚，前記遊星式伝動装置は，後述する本発明の実施例中の遊星式減速機Ｒに対応し，前記伝動軸は入力軸５に対応し，前記遊星ギヤは第１遊星ギヤ１０に対応し，リングギヤは，第１リングギヤ１１に対応し，第１ベアリングは第２ボールベアリングＢ２に対応し，第２ベアリングは第５及び第６ボールベアリングＢ５，Ｂ６に対応し，油溜め室が第１油溜め室２５に対応する。
【０００８】
また本発明は，第１の特徴に加えて，前記空洞部の内周面に環状溝が設けられ，該環状溝に第２油孔が開口することを第２の特徴とする。
【０００９】
さらに本発明は，第１又は第２の特徴に加えて，前記遊星ギヤは，間隔を置いて並ぶ一対の第２ベアリングを介して前記偏心軸に支持され，前記一対の第２ベアリング間に前記第２油孔が開口することを第３の特徴とする。
【発明の効果】
【００１０】
本発明の第１の特徴によれば，ギヤケース内に拡散した潤滑油は，第１ベアリングの，偏心軸と反対側の側面に隣接する油溜め室に受容されるので，遠心力の影響を殆ど受けることなく該油溜め室に溜まることができる。したがって，その潤滑油により，該油溜め室に隣接する第１ベアリングを良好に潤滑することができる。また，第１ベアリングの潤滑を終えた潤滑油は，第１油孔を介して偏心軸の空洞部に移行し，偏心軸の回転による遠心力を受けて第２油孔より第２ベアリングに供給され，それを良好に潤滑することができる。
【００１１】
特に，第２油孔は，偏心軸の周壁において伝動軸の軸線から最遠の位置もしくはその近傍位置に設けられるので，偏心軸の空洞部に導入された潤滑油が遠心力により空洞部内面における伝動軸の軸線から最遠の箇所に集中することを利用して，第２油孔より第２ベアリングに潤滑油を効果的に供給することができる。
【００１２】
本発明の第２の特徴によれば，偏心軸の空洞部の内周面に環状溝が設けられ，該環状溝に第２油孔が開口するので，第１油孔から空洞部に流入した潤滑油は，前記環状溝で捕捉されて第２油孔へと誘導されることになり，第２ベアリングの潤滑効果を高めることができる。
【００１３】
本発明の第３の特徴によれば，遊星ギヤを偏心軸に支持させる一対の第２ベアリング間に第２油孔が開口することで，偏心軸の空洞部から潤滑油を第２油孔を通して一対の第２ベアリングに同時に供給し，それらを潤滑することができる。
【図面の簡単な説明】
【００１４】
【図１】本発明の実施例１に係る遊星式伝動装置の縦断正面図。
【図２】図１の２−２線断面図。
【図３】図２に対応する，カウンタウエイトの作用説明図。
【図４】図１の４−４線断面図。
【図５】入力軸，偏心軸及びカウンタウエイトの結合体の斜視図。
【図６】図１の６−６線断面図。
【図７】図１の７−７線断面図。
【図８】本発明の実施例２に係る入力軸，偏心軸及びカウンタウエイトの結合体の斜視図。
【発明を実施するための形態】
【００１５】
本発明の実施形態を添付図面に基づいて以下に説明する。
【実施例１】
【００１６】
本発明の遊星式伝動装置を遊星式減速機に適用した実施例１について説明する。
【００１７】
先ず，この遊星式減速機における伝動系の説明より始める。
【００１８】
図１において，遊星式減速機Ｒのギヤケース１は，互いに開放端面を突き合わせて複数本のボルト２により結合される第１及び第２ケース半体１ａ，１ｂよりなっており，これら第１及び第２ケース半体１ａ，１ｂの側壁には第１及び第２軸受ボス３，４がそれぞれ一体に形成される。これら第１及び第２軸受ボス３，４は，それぞれ円筒状をなしていて，その両端部を対応する第１及び第２ケース半体１ａ，１ｂの側壁の内外に突出させている。これら第１及び第２軸受ボス３，４は，主軸線Ｘ１上に並ぶように配置される。
【００１９】
第１軸受ボス３の両端部において入力軸５が第１及び第２ボールベアリングＢ１，Ｂ２を介して回転自在に支持されると共に，第１ボールベアリングＢ１の内側面に隣接して入力軸５の外周面に密接する第１オイルシールＳ１が第１軸受ボス３に装着される。また第２軸受ボス４の両端部において出力軸６が第３及び第４ボールベアリングＢ３，Ｂ４を介して回転自在に支持されると共に，第４ボールベアリングＢ４の内側面に隣接して出力軸６の外周面に密接する第２オイルシールＳ２が第２軸受ボス４に装着される。こうして，入力軸５及び出力軸６は主軸線Ｘ１上に配置される。即ち，入力軸５及び出力軸６は主軸線Ｘ１を中心に共有する。
【００２０】
入力軸５において，前記第２ボールベアリングＢ２よりギヤケース１内方に臨む内端部には偏心軸７が一体に連設されており，この偏心軸７は，その軸線，即ち偏心軸線Ｘ２が主軸線Ｘ１より半径方向に所定距離ｅオフセットした位置を占め，そして一側壁が前記第２ボールベアリングＢ２の内側面に対向している。
【００２１】
入力軸５及び出力軸６間には，第１及び第２減速ギヤ列８，９が介装される。その第１減速ギヤ列８（図１及び図２参照）は，互いに噛合する第１遊星ギヤ１０及び第１リングギヤ１１より構成される。第１遊星ギヤ１０は，前記偏心軸７に，軸方向に間隔を空けて並ぶ第５及び第６ボールベアリングＢ５，Ｂ６を介して回転自在且つ軸方向移動不能に支持され，また第１リングギヤ１１は，ギヤケース１の構成部材の一部を兼ねるように，前記第１及び第２ケース半体１ａ，１ｂ間に挟持固定されて，主軸線Ｘ１上に中心を置いている。
【００２２】
また第２減速ギヤ列９（図１及び図４参照）は，互いに噛合する第２遊星ギヤ１３及び第２リングギヤ１４より構成される。その第２遊星ギヤ１３は，前記第１遊星ギヤ１０に同軸状に隣接して結合され，第１遊星ギヤ１０と共に第５及び第６ボールベアリングＢ５，Ｂ６を介して偏心軸７に支持される。また第２リングギヤ１４は，出力軸６がその内端に一体に備えるフランジ６ａ外周面に嵌合，固着されて，出力軸６と同心状に，即ち主軸Ｘ１上に配置される。これら第２遊星ギヤ１３及び第２リングギヤ１４は，いずれも第１遊星ギヤより小径である。フランジ６ａへの第２リングギヤ１４の嵌合，固着には，圧入，かしめ，溶接等が用いられる。
【００２３】
この伝動系の作用について説明する。
【００２４】
例えば，図示しない電動モータから入力軸５に回転動力が入力されると，この入力軸５の回転に伴ない偏心軸７は主軸線Ｘ１周りに公転する。これに伴い第１遊星ギヤ１０が不動の第１リングギヤ１１と噛み合いながらその内周を転がることにより，入力軸５の回転が第１遊星ギヤ１０に偏心軸７周りの減速した自転として伝達する。このときの入力軸５及び第１遊星ギヤ１０間の減速比λ１は次式で表すことができる。
λ１＝Ｚ１／（Ｚ１−Ｚ２）
【００２５】
但し，Ｚ１・・・第１遊星ギヤ１０の歯数
Ｚ２・・・第１リングギヤ１１の歯数
Ｚ１＜Ｚ２
【００２６】
第１遊星ギヤ１０が自転すると，この第１遊星ギヤ１０と一体化した第２遊星ギヤ１３も同時に偏心軸７周りに自転することにより，第２リングギヤ１４を介して出力軸６が減速駆動される。このときの第２遊星ギヤ１３及び第２リングギヤ１４間の減速比λ２は次式で表すことができる。
λ２＝Ｚ４（Ｚ１−Ｚ２）／（Ｚ１×Ｚ４−Ｚ２×Ｚ３) 
【００２７】
但し，Ｚ３・・・第２遊星ギヤ１３の歯数
Ｚ４・・・第２リングギヤ１４の歯数
Ｚ３＜Ｚ４
【００２８】
したがって，入力軸５及び出力軸６間の総合減速比λは次式で表すことができる。
λ＝λ１×λ２＝Ｚ１×Ｚ４／（Ｚ１×Ｚ４−Ｚ２×Ｚ３）
【００２９】
このように，入力軸５に入力された回転動力は，第１遊星ギヤ１０及び第１リングギヤ１１よりなる第１減速ギヤ列８と，第２遊星ギヤ１３及び第２リングギヤ１４よりなる第２減速ギヤ列９とにより２段階減速されて出力軸６に伝達されるので，大なる減速比を得て，大なる負荷，例えば図示しない車両の車軸を駆動することができると共に，前記電動モータの小容量化，小型化が可能となる。
【００３０】
この伝動中，第１遊星ギヤ１０の主軸線Ｘ１周りの公転及び偏心軸線Ｘ２周りの自転，即ち遊星運動は，第２減速ギヤ列９により単純な回転運動に変換されて，出力軸６に伝達されるので，出力軸６に歳差運動は生じない。
【００３１】
また第１及び第２遊星ギヤ１０，１３は，入力軸５の回転方向Ａと逆方向に自転する一方，出力軸６は，第１及び第２遊星ギヤ１０，１３の自転方向と逆方向に回転するので，結局，入力軸５及び出力軸６の回転方向は同方向Ａとなる。
【００３２】
こゝで，第１及び第２遊星ギヤ１０，１３について詳しく説明する。
【００３３】
第２遊星ギヤ１３は，前記第５及び第６ボールベアリングＢ５，Ｂ６に支持される長軸ボス部１３ａを一体に有する。この長軸ボス部１３ａ一端部は，第２遊星ギヤ１３のリム部から大きく張り出して前記第５ボールベアリングＢ５を囲繞しており，その一端部の外周に第１遊星ギヤ１０の短軸ボス部１０ａが嵌合，固着される。その固着には，圧入，カシメ，溶接等が用いられる。
【００３４】
第１及び第２遊星ギヤ１０，１３は一体成形してもよいが，上記のように個別成形したものを一体に結合することにより，第１及び第２遊星ギヤ１０，１３の単体時にそれぞれの歯部を容易に加工することができる。
【００３５】
第１遊星ギヤ１０は，前記短軸ボス部１０ａと，この短軸ボス部１０ａの外周より半径方向に広がるウェブ部１０ｂと，このウェブ部１０ｂの外周に連なり，外周に歯部を形成したリム部１０ｃとより構成され，そのリム部１０ｃの，少なくとも第２遊星ギヤ１３と反対側の一端部は，上記ウェブ部１０ｂの側面より突出する突出端部となっている。これにより，第１遊星ギヤ１０のリム部１０ｃの幅，即ち歯幅を，この第１遊星ギヤ１０に隣接する第２リングギヤ１４に干渉されることなく，充分に確保することができる。上記ウェブ部１０ｂ，短軸ボス部１０ａ，長軸ボス部１３ａ及び第５ボールベアリングＢ５は，これらの外側面が一平面を形成するように配置される。
【００３６】
図１，図２及び図３において，入力軸５には，前記第２ボールベアリングＢ２及び第１遊星ギヤ１０間においてカウンタウエイト１５が一体に連設される。このカウンタウエイト１５は，その重心Ｇ２の主軸線Ｘ１周りの位相が前記偏心軸線Ｘ２の位相と１８０°ずれるように配置される。
【００３７】
このカウンタウエイト１５は，入力軸５から半径方向に延出するアーム部１６と，このアーム部１６の先端部から前記第１遊星ギヤ１０及び第１リングギヤ１１の噛み合っていない歯部相互間に向かって張り出すウエイト部１７とよりなっている。このカウンタウエイト１５は，入力軸５の回転時，偏心軸７及び第１，第２遊星ギヤ１０，１３よりなる偏心回転体の重心Ｇ１に働く遠心力と，カウンタウエイト１５の重心Ｇ２に働く遠心力とが釣り合うように，その重量が設定される。これにより，前記偏心回転体による回転アンバランス量をゼロにし，もしくは著しく減少させることができる。
【００３８】
またカウンタウエイト１５のウエイト部１７を第１，第２遊星ギヤ１０，１３の噛み合わない歯部間のスペースを利用して配置したことにより，カウンタウエイト１５の重心Ｇ２の回転半径を極力大きくして，重心Ｇ２に働く遠心力を増加させ，カウンタウエイト１５の軽量化を図ることができ，これと同時に，重心Ｇ１，Ｇ２間の主軸線Ｘ１に沿うずれｓを極力小さくして，両重心Ｇ１，Ｇ２に働く遠心力が入力軸５に及ぼす偶力を小さく抑えることができる。
【００３９】
このカウンタウエイト１５のアーム部１６は，各部の肉厚を均等にしながら半径方向内方半部１６ａに対して半径方向外方半部１６ｂが第２ボールベアリングＢ２側にオフセットするように屈曲した形状をなしており，この形状により，アーム部１６の，第１遊星ギヤ１０側の一側面には，ウエイト部１７の内周面に連なる第１凹所１８が，また第２ボールベアリングＢ２側の他側面には，アーム部１６の根元に連なる第２凹所１９がそれぞれ形成される。そして，前記第１遊星ギヤ１０は，そのリム部１０ｃの前記突出端部が上記第１凹所１８に収容されるよう，カウンタウエイト１５に近接配置される。
【００４０】
このとき，前記ウェブ部１０ｂ，短軸ボス部１０ａ，長軸ボス部１３ａ及び第５ボールベアリングＢ５の一平面上に並ぶ外側面は，カウンタウエイト１５の半径方向内方半部１６ａに小間隙を存して対面し，前記リム部１０ｃの一端部の第１凹所１８への収容を妨げない。
【００４１】
更に，カウンタウエイト１５は，前記第２凹所１９が第２ボールベアリングＢ２を支持する前記第１軸受ボス３の突出した内端部３ａを収容するよう，第２ボールベアリングＢ２に近接配置される。
【００４２】
かくして，偏心軸７は，第２ボールベアリングＢ２との間の無駄なスペースを排除して，第２ボールベアリングＢ２に近づくことになるので，偏心軸７の，第２ボールベアリングＢ２からのオーバハング量を極力減少させることができる。したがって，第１遊星ギヤ１０と第１リングギヤ１１，第２遊星ギヤ１３と第２リングギヤ１４の各噛合反力により偏心軸７に曲げ荷重が作用したとき，第２ボールベアリングＢ２の荷重負担を少なくして，その耐久性の向上を図ることができる。また偏心軸７のオーバハング量の減少は，減速機Ｒの軸方向のコンパクト化に資することにもなる。
【００４３】
またカウンタウエイト１５のアーム部１６は，上述のように屈曲した形状をなすことにより，アーム部１６各部の肉厚を等しくしてアーム部１６の強度を低下させずに，アーム部１６の両側面に前記第１及び第２凹所１８，１９を簡単に設けることができる。
【００４４】
次に，この遊星式減速機Ｒにおける潤滑系について説明する。
【００４５】
図１〜図４において，符号Ｆは潤滑油を示し，その潤滑油Ｆにおいて特にギヤケース１の底部に貯留される所定量の潤滑油をＦａで示す。
【００４６】
前記カウンタウエイト１５は，その回転時，上記貯留潤滑油Ｆａを拡散させる油拡散部材として機能すべく，そのウエイト部１７が次のような構造になっている。即ち，ウエイト部１７は，その外周面が第１リングギヤ１１の内周面に近接した円弧状をなし，またその内周面の周方向中央部には凹部２１が設けられる。さらにウエイト部１７の内周には，ウエイト部１７の周方向両端部から上記凹部２１に向かうに応じて第１遊星ギヤ１０の外周面に近接して上記凹部２１に達する一対の凹曲面２２Ａ，２２Ｂが設けられる。またウエイト部１７の周方向両端部は，上記円弧状の外周面と一対の凹曲面２２Ａ，２２Ｂとにより先細り状に形成される。
【００４７】
一方，カウンタウエイト１５のアーム部１６には，その両側面を貫通して上記凹部２１の底部に開口する透孔２３が設けられる。
【００４８】
ギヤケース１底部の貯留潤滑油Ｆａの所定量は，ウエイト部１７の回転方向Ａに向かう先頭端部が最下部に達したとき，その先頭端部が前記貯留潤滑油Ｆａ中に沈み，且つ第１遊星ギヤ１０が最上部に達したとき，その第１遊星ギヤ１０全体が前記貯留潤滑油Ｆａの上方に露出するように設定される。
【００４９】
さらに潤滑系の説明は続く。図１，図６及び図７において，ギヤケース１の第１ケース半体１ａにおける第１軸受ボス３には環状の第１油溜め室２５が設けられる。この第１油溜め室２５は，第２ボールベアリングＢ２及び第１オイルシールＳ１間に挟まれ，且つ入力軸５の全周を囲むように形成される。
【００５０】
また第１軸受ボス３より上方の第１ケース半体１ａの内側面には油受け凹部２６が設けられ，この油受け凹部２６は，カウンタウエイト１５が上方位置に到来したとき，アーム部１６の外側面と対面するように配置される。またこの油受け凹部２６は，カウンタウエイト１５の回転方向に沿う幅が上方に向かって広がる扇形に形成される。そしてこの油受け凹部２６の底部は，１本又は複数本の下降通路２７を介して前記第１油溜め室２５に接続される。
【００５１】
また第１油溜め室２５は，１本又は複数本の第１オーバフロー通路２８を介してギヤケース１の底部に開放される。この第１オーバフロー通路２８は，第１油溜め室２５に溜まる潤滑油Ｆが，第１油溜め室２５に臨む第２ボールベアリングＢ２の潤滑に足る所定量以上となると，余剰の潤滑油をギヤケース１内に戻すようになっている。
【００５２】
図１，図６及び図７において，前記偏心軸７には，その端面に開放する空洞部３０が設けられる。また偏心軸７の，第２ボールベアリングＢ２に対向する一側壁には，第２ボールベアリングＢ２及び空洞部３０間を連通する第１油孔３１と，第２ボールベアリングＢ２を通過した潤滑油を第１油孔３１に誘導する庇状の油ガイド壁３２とが設けられる。この油ガイド壁３２は，第２ボールベアリングＢ２のアウタレースの外側面に近接した円弧状をなして，その内周面が第１油孔３１に連なるように形成される。この油ガイド壁３２の回転方向Ａ後方端部には，半径方向内方に屈曲して入力軸５の外周面に一体に接続される油ブロック壁３３が連設される。そして前記第１油孔３１は，上記油ガイド壁３２及び油ブロック壁３３間に開口する。
【００５３】
尚，偏心軸７の主軸線Ｘに対するオフセット量ｅが図示例より大きく，軸方向投影面上で第１油孔３１が第２ボールベアリングＢ２のアウタレースの一部と重なる程，大径に形成される場合には，油ガイド壁３２は，第２ボールベアリングＢ２を支持する第１軸受ボス３の突出した内端部３ａに近接するように，もしくはそれを囲繞するように形成されることが望ましい。
【００５４】
また前記油ガイド壁３２は環状に形成することもできる。この場合，油ブロック壁３３は不要となる。
【００５５】
さらに偏心軸７の周壁には，その内周面に沿う環状溝３５と，この環状溝３５を，上記周壁に支持される前記第５及び第６ボールベアリングＢ５，Ｂ６の中間部に連通させる第２油孔３６とが設けられる。この第２油孔３６は，偏心軸７の周壁における主軸線Ｘ１からの最遠位置もしくはその近傍位置に配置される。即ち，第２油孔３６は，偏心軸７の周壁において主軸線Ｘ１から最も離れる方向に偏って配置される。尚，第１及び第２油孔３１，３６の個数は複数でもよい。
【００５６】
次に図１及び図４において，出力軸６の，第２リングギヤ１４を固定支持するフランジ６ａには，第３ボールベアリングＢ３に対向する複数の肉抜き孔３７が設けられる。またギヤケース１の第２軸受ボス４には，第３ボールベアリングＢ３及び第２オイルシールＳ２間において出力軸６を囲繞する環状の第２油溜め室４０が設けられる。この第２油溜め室４０は，第２オーバフロー通路４１を介してギヤケース１内の下方へ開放される。この第２オーバフロー通路４１は，第２油溜め室４０に溜まる潤滑油Ｆが，第２油溜め室４０に臨む第３ボールベアリングＢ３の潤滑に足る所定量以上となると，余剰の潤滑油をギヤケース１内に戻すようになっている。
【００５７】
この潤滑系の作用について説明する。
【００５８】
カウンタウエイト１５の回転中，図３に示すようにカウンタウエイト１５が下向きに回転していくと，そのウエイト部１７は，先ず，その先頭端部からギヤケース１底部の貯留潤滑油Ｆａに沈み込み，そして先頭端部に続く一方の凹曲面２２Ａによりその潤滑油を掬い上げながら，回転方向を上向きに転じていく。ところで，上記一方の凹曲面２２Ａは，ウエイト部１７の内周面中間部の凹部２１に向うに応じて第１遊星ギヤ１０の歯部に接近していくので，上記一方の凹曲面２２Ａにより掬い上げられた潤滑油の一部は第１遊星ギヤ１０の歯部に振りかけられる。特に，入力軸５と一体回転するカウンタウエイト１５の回転方向Ａと第１遊星ギヤ１０の回転方向とは逆であることから，上記一方の凹曲面２２Ａは，第１遊星ギヤ１０の歯部とすれ違いながら，その歯部に潤滑油を効果的に振りかけることができる。したがって潤滑油で充分に濡れた第１遊星ギヤ１０の歯部が第１リングギヤ１１の歯部と噛合することになり，その噛合部を効果的に潤滑することができる。
【００５９】
また上記一方の凹曲面２２Ａにより掬い上げられた潤滑油の他の一部は，ウエイト部１７の内周面中間部の凹部２１へと誘導され，その潤滑油は，カウンタウエイト１５の回転に伴ない凹部２１により振り回されることにより，ギヤケース１内の広範囲に拡散し，飛沫となってギヤケース１内の各部を潤滑する。またウエイト部１７の内周面側方から流出した潤滑油は，特に第２リングギヤ１４の歯部に振りかかり，第２減速ギヤ列９の噛合部を潤滑する。
【００６０】
このように，ウエイト部１７は，その回転によりギヤケース１底部の貯留潤滑油Ｆａを掬い上げて周囲に拡散させるので，ウエイト部１７の外周面がカウンタウエイト１５の回転中心と同心の滑らかな円弧面をなすことゝ相俟って，上記貯留潤滑油Ｆａの攪拌が少ない上，第１遊星ギヤ１０が最上部に達したときは，第１遊星ギヤ１０全体が上記貯留潤滑油Ｆａの上方に露出するので，ウエイト部１７及び第１遊星ギヤ１０による上記貯留潤滑油Ｆａの攪拌抵抗が小さく，動力損失を小さく抑えることができる。
【００６１】
また第２減速ギヤ列９の潤滑を，拡散する潤滑油で行うことにより，回転する第２リングギヤ１４の，ギヤケース１底部の貯留潤滑油Ｆａへの浸漬量を極力少なくし，もしくはゼロとすることが可能となり，第２リングギヤ１４の歯部による前記貯留潤滑油Ｆａの攪拌抵抗を少なくし，もしくはゼロとすることができる。
【００６２】
またカウンタウエイト１５が前記貯留潤滑油Ｆａを拡散する油拡散部材を兼ねることで，専用の油拡散部材を不要として，構造の簡素化を図ることができる。
【００６３】
さらにウエイト部１７は，その両端端部から凹部２１に向うに応じて第１遊星ギヤ１０の歯部に接近して凹部２１に達する一対の凹曲面２２Ａ，２２Ｂを内周に有するので，カウンタウエイト１５の回転方向の如何に拘らず，上記凹曲面２２Ａ，２２Ｂの何れか一方によりギヤケース１底部の貯留潤滑油Ｆａを掬い上げ，上記と同様の作用効果を達成することができる。
【００６４】
またウエイト部１７により掬い上げられて凹部２１へと誘導された潤滑油の他の一部は，アーム部１６の透孔２３から第１ケース半体１ａの内側面に向けて流出，拡散して，第２ボールベアリングＢ２を直接潤滑したり，第１ケース半体１ａ内側面の油受け凹部２６に受け入れられる。
【００６５】
この油受け凹部２６に受け入れられた潤滑油は，下降通路２７を経て第１油溜め室２５へと流下して溜まり，第２ボールベアリングＢ２を潤滑しながら該ベアリングを通過し，第１油孔３１へと移行する。この間，潤滑油は，入力軸５から殆ど回転を受けないので，遠心力による逆流は生じない。しかも，第２ボールベアリングＢ２を通過した潤滑油は，油ガイド壁３２により，その内周面に連なる第１油孔３１へ誘導され，さらに油ブロック壁３３により第１油孔３１への流入が強制されることで，効率よく第１油孔３１を通過して偏心軸７の空洞部３０に流入する。
【００６６】
尚，油ブロック壁３３を持たない環状の油ガイド壁３２を採用した場合には，第２ボールベアリングＢ２を通過した潤滑油は環状の油ガイド壁３２内に効率よく移り，そして遠心力により環状の油ガイド壁３２の内周面に押しつけられることで，環状の油ガイド壁３２の内周面に連なる第１油孔３１へ，次いで空洞部３０へと流れていく。
【００６７】
こうして空洞部３０に流入した潤滑油は，直ちに環状溝３５に捕捉されると共に，偏心軸７の主軸線Ｘ１周りの公転により大なる遠心力を受けて，主軸線Ｘ１から離れる方向へ環状溝３５を流動するので，主軸線Ｘ１からの最遠位置もしくはその近傍位置で待機する第２油孔３６から第５及び第６ボールベアリングＢ５，Ｂ６間へ流出し，これらベアリングを潤滑する。
【００６８】
第５及び第６ボールベアリングＢ５，Ｂ６の潤滑後，これらベアリングを通過した潤滑油は，飛沫となって第１及び第２減速ギヤ列８，９を潤滑し，また偏心軸７の空洞部３０の開放口から流出した潤滑油も，飛沫となって第２減速ギヤ列９を潤滑する。
【００６９】
ところで，前記第１油溜め室２５に溜まる所定量以上の潤滑油は，第１オーバフロー通路２８よりギヤケース１の下部に流出する。これにより，第２ボールベアリングＢ２の潤滑に必要な所定量以上の潤滑油が第１油溜め室２５に溜まることが回避されるので，第２ボールベアリングＢ２の潤滑油による作動抵抗を小さく抑えると共に，ギヤケース１内での潤滑油の循環を良好にすることができる。また減速機Ｒの作動停止状態でも，第１油溜め室２５では所定量の潤滑油を溜め続けることができるので，減速機Ｒの作動開始時から第２ボールベアリングＢ２等の潤滑を行い得る利点もある。
【００７０】
一方，カウンタウエイト１５により拡散された潤滑油や，偏心軸７の空洞部３０から流出した潤滑油が第２リングギヤ１４内に入ると，その一部の潤滑油は，前述のように第２減速ギヤ列９の噛合部の潤滑に供されるが，残余の潤滑油は，出力軸６のフランジ６ａの肉抜き孔３７を通過して第３ボールベアリングＢ３を潤滑し，そして該ベアリングを通過して第２油溜め室４０に溜まる。
【００７１】
この第２油溜め室４０でも，該室に溜まる所定量以上の潤滑油を，第２オーバフロー通路４１よりギヤケース１の下部に流出させることにより，第３ボールベアリングＢ３の潤滑に必要な所定量以上の潤滑油が溜まることを防ぐことができる。したがって第３ボールベアリングＢ３の潤滑油による作動抵抗を小さく抑えると共に，ギヤケース１内での潤滑油の循環を良好にすることができる。また第２油溜め室４０でも常時，所定量の潤滑油を溜め続けることができるので，減速機Ｒの作動開始時から第３ボールベアリングＢ３を潤滑することができる。
【実施例２】
【００７２】
本発明の実施例２では，図８に示すように，カウンタウエイト１５のウエイト部１７の内周面に，その両端部から中央部に向かって深くなる樋状の凹部２１′が設けられ，この凹部２１′の最深部に，アーム部１６を貫通する透孔２３が開口する。その他の構成は前記実施例１と同様であり，図中，前記実施例１との対応部分には同一の符号を付して，重複する説明を省略する。
【００７３】
この実施例２によれば，カウンタウエイト１５の回転により，ウエイト部１７がギヤケース１底部の貯留潤滑油Ｆａ（図３参照）を樋状の凹部２１により掬い上げたとき，その潤滑油が凹部２１からウエイト部１７の側方へ流出するのを極力抑えることができる。その結果，凹部２１に掬い上げられた潤滑油の多くは，アーム部１６の透孔２３から第１ケース半体１ａの内側面に向けて流出，拡散させるので，第２ボールベアリングＢ２に対する直接的潤滑，並びに油受け凹部２６への潤滑油の供給を効果的に行うことができる。
【００７４】
尚，本発明は，上記実施例に限定されるものではなく，その要旨を逸脱しない範囲で種々の設計変更が可能である。例えば，上記実施例では，カウンタウエイト１５のウエイト部１７は，入力軸５の軸方向から見て左右対称形に形成してあるが，カウンタウエイト１５の重心Ｇ２が偏心回転体の重心Ｇ１と逆位相であれば，これを非対称形に形成してもよいことは勿論である。この場合，ウエイト部１７の凹部２１を，ウエイト部１７の内周面中央部よりウエイト部１７の回転方向後方側に配置して，凹曲面２２Ａを長く形成することにより，凹曲面２２Ａの貯留潤滑油Ｆａに対する掬い上げ距離を長くして，その潤滑油を第１遊星ギヤ１０の歯部に，より効果的に振りかけることができる。また遊星式減速機Ｒにおいて，遊星ギヤ及びリングギヤをサイクロイド歯形又は円弧歯形にする等，種々の歯形を採用することもできる。また出力軸６を入力軸，入力軸５を出力軸に変更すれば，減速機Ｒを増速機に変更することができる。
【符号の説明】
【００７５】
Ｂ２・・第１ベアリング（第２ボールベアリング）；Ｂ５，Ｂ６・・第２ベアリング（第５及び第６ボールベアリング）；Ｆ・・潤滑油；Ｒ・・遊星式伝動装置（遊星式減速機）；Ｘ１・・主軸線；Ｘ２・・偏心軸線；１・・ギヤケース；７・・偏心軸；５・・伝動軸（入力軸），１０・・遊星ギヤ（第１遊星ギヤ）；１１・・リングギヤ（第１リングギヤ）；１５・・油拡散部材（カウンタウエイト）；２５・・油溜め室（第１油溜め室）；３０・・空洞部，３１・・第１油孔，３６・・第２油孔；３５・・環状溝３
【図１】
2018128086.tif 000003
【図２】
2018128086.tif 000004
【図３】
2018128086.tif 000005
【図４】
2018128086.tif 000006
【図５】
2018128086.tif 000007
【図６】
2018128086.tif 000008
【図７】
2018128086.tif 000009
【図８】
2018128086.tif 000010